(57)【要約】【課題】デザイン性を高めたリバーシブル仕様のレギンスを提供する。【解決手段】丈が膝下から足首までの間で、アウターウェア用途として着用されるパンツタイプのレギンス１００は、表裏面で意匠が異なる１枚の生地を複数のパーツに裁断して、これらのパーツを縫製して構成され、生地の一方の面をレギンス１００の表側にした場合に、生地の他方の面の意匠が表れる部分が存在しないことを特徴とする完全なリバーシブル仕様を備える。【選択図】図１
2015137427.tif 000002
【特許請求の範囲】
【請求項１】
丈が膝下から足首までの間または膝より上で、アウターウェア用途として着用されるパンツタイプの下半身用衣類であって、
表裏面で意匠が異なる１枚の生地を複数のパーツに裁断して、前記パーツを縫製して下半身用衣類が構成され、
前記生地の一方の面を下半身用衣類の表側にした場合に、前記生地の他方の面の意匠が表れる部分が存在しないことを特徴とするリバーシブル仕様の下半身用衣類。
【請求項２】
丈が膝下から足首までの間または膝より上で、アウターウェア用途として着用されるパンツタイプの下半身用衣類であって、
表裏面で意匠が異なる１枚の生地を複数のパーツに裁断して、前記パーツを縫製して下半身用衣類が構成され、
前記生地の一方の面を下半身用衣類の表側にした場合に、前記生地の他方の面の意匠が表れる部分が所望の位置に存在することを特徴とするリバーシブル仕様の下半身用衣類。
【請求項３】
前記複数のパーツには少なくとも脚を挿入する後側の身頃となる身頃生地および２枚の尻ポケット生地を含み、
前記下半身用衣類の表裏の意匠が所望の意匠になるように身頃生地および尻ポケット生地の表裏を揃えて、２枚の尻ポケット生地で身頃生地を挟んで、身頃生地における表裏の同じ位置に共通の縫製糸で縫製したことを特徴とする、請求項１または請求項２に記載の下半身用衣類。
【請求項４】
前記複数のパーツには少なくとも１枚の疑似ポケット周縁生地および脚を挿入する前側の身頃となる身頃生地を含み、疑似ポケット周縁生地は湾曲したテープ状であって、
前記下半身用衣類の表裏の意匠が所望の意匠になるように身頃生地および疑似ポケット周縁生地の表裏を揃えて、疑似ポケット周縁生地を身頃生地に縫製糸で縫製し、
疑似ポケット周縁生地を縫製した面における疑似ポケット上周縁が疑似ポケット周縁生地で表わされ、
疑似ポケット周縁生地を縫製した面の裏面における疑似ポケット上周縁が身頃生地で表わされ、
疑似ポケットの周縁が前記縫製糸により縁取られていることを特徴とする、請求項１または請求項２に記載の下半身用衣類。
【請求項５】
前記複数のパーツには少なくとも脚を挿入する身頃生地および裾周囲生地を含み、裾周囲生地はテープ状であって、
前記下半身用衣類の表裏の意匠が所望の意匠になるように身頃生地および裾周囲生地の表裏を揃えて、裾周囲生地を身頃生地の一方の面のみに縫製糸で縫製したことを特徴とする、請求項１または請求項２に記載の下半身用衣類。
【発明の詳細な説明】
【技術分野】
【０００１】
本発明は、主として女性用の下半身用衣類に関し、特に、丈が膝下から足首まででアウターウェア用途として着用されるレギンス等と呼ばれる下半身用衣類であって、デザイン性を高めたリバーシブル仕様の下半身用衣類に関する。なお、丈が膝より上でアウターウェア用途として着用されるリバーシブル仕様の下半身用衣類であっても構わない。
【背景技術】
【０００２】
近年の生活習慣上、人が靴を履くときに足に装着する衣類としての靴下を多くの人々が使用している。そのような衣類の中で、特に、女性の下半身を覆うストッキングは、外出時における女性の脚部の保護さらには脚線美の向上の観点等から、広く世間に浸透している。
一方、最近、若年層の女性を中心に、上述のストッキングの代わり着用するファッションとして、レギンスが流行している。このレギンスは、脚にぴったりとフィットするようにされた下半身用衣類であり、足元や足全体を温めつつもデザイン性に優れていることから、着用者にとって、お洒落なアイテムの一つになりつつある。
このレギンスは、たとえば、丈の短いスカートやワンピースの下に着用してスカートの下からレギンスを見せたファッションや、パンツとして着用してレッグを長く見せてレッグラインを美麗に強調するファッションが若い女性を中心に流行っている。このようにこのレギンスは、アウターウェア用途として着用されている。
【０００３】
このようなレギンスを始めとするアウターウェア用途の下半身用衣類を、表裏で色または／および模様が異なる１枚布で仕立ててリバーシブル仕様とすると、さらにファッションのバリエーションが広がる。たとえば、１泊程度の旅行において１日目と２日目とで表裏を替えて着用することができ、着替えを準備しないでもファッションのバリエーションが広がる。衣類をリバーシブル仕様とすること自体は公知であって、たとえば、特開２００７−２６２６４１号公報（特許文献１）および特開２００２−３１７３１３号公報（特許文献２）に開示されている。
【０００４】
特許文献１は、表側および裏側がほぼ同等の意匠を有するリバーシブルな衣類であって、表裏面の縫目部意匠が一部あるいは全部異なる事を特徴とし、表側あるいは裏側のどちらかの襟、袖、裾等の端部の縫目をある一定幅の布で蔽う様に縫い付けて見栄えの良い意匠にする事を特徴とした衣類を開示する。
特許文献２は、互いに縫着して連続させる布端部にそれぞれＪ状折曲部を設けて、折返端片と本体部との間に袋部を形成し、これらＪ状折曲部を向かい合わせて重ね、一方の折返端片を他方の袋部に挿入して両方の折返端片を本体部で挟み込んで４枚重ねの状態とし、この重ね合わせ部分の両側折曲端近傍を縫着して表裏両面を同一縫製状態とし、かつ、各布の先端部をＵ形状としたカバー布の内部に挿入すると共に、該カバー布の両端縁を内向きに折り返し、上記布先端部とカバー布とを５枚重ね状態で縫着して布先端部を封入し、表裏両面を同一縫製状態としていることを特徴とするリバーシブル寝衣を開示する。
【先行技術文献】
【特許文献】
【０００５】
【特許文献１】特開２００７−２６２６４１号公報
【特許文献２】特開２００２−３１７３１３号公報
【発明の概要】
【発明が解決しようとする課題】
【０００６】
しかしながら、下半身用衣類に関しては、特許文献１には、伸縮性のある一枚布の生地で仕立てられたパンツ（肌着）が開示されているのみであって、特許文献２には、表側と裏側の区別がついていた縫着部を表裏の区別がつかない構成としたリバーシブル仕様のデザイン性に乏しい業務用寝衣が開示されているのみである。このため、いずれの特許文献に開示された技術をレギンスを一例とするアウターウェアとしての下半身用衣類に適用したところで、デザイン性の高いファッションウェアが実現することはない。
【０００７】
本発明は、従来技術の上述の問題点に鑑みて開発されたものであり、その目的とするところは、丈が膝下から足首までの間または膝より上で、アウターウェア用途として着用されるパンツタイプの下半身用衣類であって、デザイン性を高めたリバーシブル仕様の下半身用衣類を提供することを目的とする。
【課題を解決するための手段】
【０００８】
上記目的を達成するため、本発明に係る下半身用衣類は以下の技術的手段を講じている。
すなわち、本発明に係る下半身用衣類は、丈が膝下から足首までの間または膝より上で、アウターウェア用途として着用されるパンツタイプの下半身用衣類であって、表裏面で意匠が異なる１枚の生地を複数のパーツに裁断して、前記パーツを縫製して下半身用衣類が構成され、前記生地の一方の面を下半身用衣類の表側にした場合に、前記生地の他方の面の意匠が表れる部分が存在しないことを特徴とする。
【０００９】
また、本発明の別の形態に係る下半身用衣類は、丈が膝下から足首までの間または膝より上で、アウターウェア用途として着用されるパンツタイプの下半身用衣類であって、表裏面で意匠が異なる１枚の生地を複数のパーツに裁断して、前記パーツを縫製して下半身用衣類が構成され、前記生地の一方の面を下半身用衣類の表側にした場合に、前記生地の他方の面の意匠が表れる部分が所望の位置に存在することを特徴とする。
【００１０】
好ましくは、前記複数のパーツには少なくとも脚を挿入する後側の身頃となる身頃生地および２枚の尻ポケット生地を含み、前記下半身用衣類の表裏の意匠が所望の意匠になるように身頃生地および尻ポケット生地の表裏を揃えて、２枚の尻ポケット生地で身頃生地を挟んで、身頃生地における表裏の同じ位置に共通の縫製糸で縫製するように構成することができる。
【００１１】
さらに好ましくは、前記複数のパーツには少なくとも１枚の疑似ポケット周縁生地および脚を挿入する前側の身頃となる身頃生地を含み、疑似ポケット周縁生地は湾曲したテープ状であって、前記下半身用衣類の表裏の意匠が所望の意匠になるように身頃生地および疑似ポケット周縁生地の表裏を揃えて、疑似ポケット周縁生地を身頃生地に縫製糸で縫製し、疑似ポケット周縁生地を縫製した面における疑似ポケット上周縁が疑似ポケット周縁生地で表わされ、疑似ポケット周縁生地を縫製した面の裏面における疑似ポケット上周縁が身頃生地で表わされ、疑似ポケットの周縁が前記縫製糸により縁取られているように構成することができる。
【００１２】
さらに好ましくは、前記複数のパーツには少なくとも脚を挿入する身頃生地および裾周囲生地を含み、裾周囲生地はテープ状であって、前記下半身用衣類の表裏の意匠が所望の意匠になるように身頃生地および裾周囲生地の表裏を揃えて、裾周囲生地を身頃生地の一方の面のみに縫製糸で縫製するように構成することができる。
【発明の効果】
【００１３】
本発明の下半身用衣類によれば、丈が膝下から足首までまたは丈が膝より上でアウターウェア用途として着用される下半身用衣類であって、デザイン性を高めたリバーシブル仕様の下半身用衣類を提供することができる。
【図面の簡単な説明】
【００１４】
【図１】本発明の実施の形態に係るリバーシブルレギンスの正面図であって、（Ａ）が無地側（第１の態様の表側（外観側）で第２の態様の裏側（肌側））で（Ｂ）が柄側（第１の態様の裏側（肌側）で第２の態様の表側（外観側））である。
【図２】本発明の実施の形態に係るリバーシブルレギンスの背面図であって、（Ａ）が無地側で（Ｂ）が柄側である。
【図３】本発明の実施の形態に係るリバーシブルレギンスの側面図であって、（Ａ）が無地側で（Ｂ）が柄側である。
【図４】本発明の実施の形態に係るリバーシブルレギンスの別の側面図であって、（Ａ）が無地側で（Ｂ）が柄側である。
【図５】図１（Ａ）の部分拡大図である。
【図６】図１（Ｂ）の部分拡大図である。
【図７】図２（Ａ）の部分拡大図である。
【図８】図２（Ｂ）の部分拡大図である。
【図９】図３（Ａ）の部分拡大図である。
【図１０】図３（Ｂ）の部分拡大図である。
【図１１】図１のリバーシブルレギンスの裾部分の拡大図であって、（Ａ）が無地側の拡大図であって、（Ｂ）が柄側の拡大図である。
【図１２】図１のリバーシブルレギンスの断面図であって、（Ａ）が図１（Ａ）に示すＡ−Ａ線の断面図であって、（Ｂ）が図２（Ａ）に示すＢ−Ｂ線の断面図である。
【図１３】図１のリバーシブルレギンスの背面ポケット（尻ポケット）部分の断面図であって、（Ａ）が図２（Ａ）に示すＣ−Ｃ線の断面図であって、（Ｂ）が図２（Ａ）に示すＤ−Ｄ線の断面図である。
【図１４】図１のリバーシブルレギンスの断面図であって、図３（Ａ）に示すＥ−Ｅ線の断面図である。
【図１５】図１のリバーシブルレギンスの型紙を示す図である。
【発明を実施するための形態】
【００１５】
以下、本発明の実施の形態に係る下半身用衣類の一例であるリバーシブルレギンス（以下単にレギンスと記載する場合がある）１００を、図面に基づき詳しく説明する。図１〜図４にレギンス１００の全体図を示し、図５〜図１１にレギンス１００の各部の拡大図を示し、図１２〜図１４にレギンス１００の各部の断面図（断面線は図１（Ａ）、図２（Ａ）および図３（Ａ）に記載）を示し、図１５にレギンス１００の型紙を示す。なお、本発明に係る下半身用衣類はレギンスに限定されるものではない。
【００１６】
［レギンス全体構造］
このレギンス１００は、丈が膝下から足首までの間、アウターウェア用途として着用されるパンツタイプの下半身用衣類の一例であって、リバーシブル仕様となっている。なお、本発明に係るレギンスは、丈が膝より上でアウターウェア用途として着用される衣類（丈の短いレギンス）であっても構わない。
【００１７】
このレギンス１００は、図１５に示す型紙のように、表裏面で意匠が異なる１枚の生地を複数のパーツに裁断して、これらのパーツを縫製することにより構成されている。なお、図１５においては、表裏面で意匠が異なる１枚の生地を、レギンス１００の第１の態様における表側である無地の生地が紙面の表側になるように（すなわち図１５の紙面表面側に無地側しか表れず図１５の紙面裏面側に柄地側が表れるように）記載している。
【００１８】
このレギンス１００は、図１（Ａ）、図２（Ａ）、図３（Ａ）および図４（Ａ）に示すように、生地の一方の面である無地側（図１５で表されている面）をレギンス１００の表側にした第１の態様（リバーシブル仕様の無地側使い）と、図１（Ｂ）、図２（Ｂ）、図３（Ｂ）および図４（Ｂ）に示すように、生地の他方の面である柄側（図１５で表されていない面）をレギンス１００の表側にした第２の態様（リバーシブル仕様の柄側使い）とで着用できる。なお、図１〜図４においては、これらの第１の態様および第２の態様を明確に区別するために、レギンス１００の全体に柄地であることを示すハッチングを付しているが、図５〜図１１の拡大図においては、生地のつなぎ目および縫製ライン（ミシン等を用いて糸により縫製したライン）が明確になるようにハッチングを一部のみに付している。
【００１９】
なお、このレギンス１００は、第１の態様では有色で無地のレギンスとして、第２の態様では有色で（第１の態様の有色と同じであっても異なっても構わない）柄地のレギンスとして説明するが、本発明に係るレギンスはこれに限定されるものではない。たとえば、第１の態様も第２の態様も無地であって異なる色使いであっても構わないし、第１の態様も第２の態様も同じ柄地であって異なる色使いであっても構わないし、第１の態様も第２の態様も異なる柄地であって異なる色使いであっても構わない。
【００２０】
そして、このレギンス１００は、生地の一方の面である無地側をレギンス１００の表側にした第１の態様の場合に、生地の他方の面である柄側の意匠が表れる部分が存在せず、生地の他方の面であるの柄側をレギンス１００の表側にした第２の態様の場合に、生地の
一方の面である無地側の意匠が表れる部分が存在しないことを特徴とする。
以下においては、この特徴を含めて、レギンス１００の詳細について説明する。
【００２１】
図１〜図４および図１５を参照して、このレギンス１００は、大きくは、右前身頃生地１１０と左前身頃生地１２０と右後身頃生地１３０と左後身頃生地１４０とを、胴部（１本の筒状部）と脚を挿入する２本の筒部とが構成されるように縫製して、胴部に第１のウエスト生地１６０および第２のウエスト生地１６２でウエストゴム１６４（図１２参照）を挟んで縫着した構造を備える。この場合において、第１のウエスト生地１６０は、第１の態様で無地が表側に表れるように、第２のウエスト生地１６０は、第２の態様で柄地が表側に表れるように、縫着される。
【００２２】
そして、このレギンス１００においては上述した特徴を備えつつ、レギンス１００の尻側の左右には尻ポケットが設けられ、レギンス１００の腹側の左右には疑似ポケットが設けられ、レギンス１００において脚を挿入する２本の筒部の末端には裾周囲生地が設けられている。以下においては、これらを含むレギンス１００の詳細な構造について説明する。
【００２３】
［レギンス詳細構造］
・尻ポケット（背面ポケット）
図１５に示すように、このレギンス１００を構成する複数のパーツには、脚を挿入する後側の身頃となる身頃生地である右後身頃生地１３０および左後身頃生地１４０ならびに４枚の尻ポケット生地１７０を含む。なお、尻ポケットは、表裏に１つずつ（左右片方の尻側のみで両面）でもよいので、尻ポケット生地は少なくとも２枚（２枚以上）であればよい。
【００２４】
そして、レギンス１００の表裏の意匠が所望の意匠になるように（ここでは、上述した特徴である第１の態様で無地のみが表側に表れるように第２の態様で柄地のみが表側に表れるように）右後身頃生地１３０、左後身頃生地１４０および尻ポケット生地１７０の表裏を揃えて、２枚の尻ポケット生地１７０で右後身頃生地１３０または左後身頃生地１４０を挟んで、後身頃生地における表裏の同じ位置に共通の縫製糸（縫製ライン３００）で、右後身頃生地１３０および左後身頃生地１４０にそれぞれ表裏２枚ずつ尻ポケット生地１７０を縫製している。
【００２５】
図７〜図１０、図１３および図１５を参照して、この尻ポケットについてさらに説明する。
図１３（Ａ）に示すように、図１５に示すパターンの尻ポケット生地１７０の上縁を折り返して折り返した部分を縫製ライン３０２および縫製ライン３０４で縫製する。このとき、図示するように、縫製ライン３０２および縫製ライン３０４により２枚の生地が縫製される。さらに、図１３（Ａ）および図１３（Ｂ）に示すように、尻ポケット生地１７０の上縁以外の周縁を尻ポケットの形状に合わせて折り返して折り返した部分を縫製ライン３００で縫製する。このとき、図示するように、縫製ライン３００により５枚の生地が縫製される。
【００２６】
このように縫製された尻側の尻ポケットは、図７および図８ならびに図９および図１０を参照すれば、後身頃生地における表裏の同じ位置に共通の縫製糸（縫製ライン３００）で、尻ポケット生地１７０が縫製されていることがわかる。
・疑似ポケット
図１５に示すように、このレギンス１００を構成する複数のパーツには、脚を挿入する前側の身頃となる身頃生地である右前身頃生地１１０および左前身頃生地１２０ならびに２枚の右前疑似ポケット周縁生地１１２および左前疑似ポケット周縁生地１２２を含む。なお、疑似ポケットは、左右に１つずつ（左右片方のみの腹側）でもよいので、疑似ポケット周縁生地は少なくとも１枚（１枚以上）であればよい。また、右前疑似ポケット周縁生地１１２および左前疑似ポケット周縁生地１２２は、湾曲したテープ状の形状を備える。
【００２７】
そして、レギンス１００の表裏の意匠が所望の意匠になるように（ここでは、上述した特徴である第１の態様で無地のみが表側に表れるように第２の態様で柄地のみが表側に表
れるように）右前身頃生地１１０、左前身頃生地１２０および右前疑似ポケット周縁生地１１２および左前疑似ポケット周縁生地１２２の表裏を揃えて、右前疑似ポケット周縁生地１１２および左前疑似ポケット周縁生地１２２を右前身頃生地１１０、左前身頃生地１２０にそれぞれ縫製糸（縫製ライン２０８、縫製ライン２１０）で縫製している。
【００２８】
図５、図６、図９、図１０、図１２（Ａ）および図１５を参照して、この疑似ポケットについてさらに説明する。
図１２（Ａ）に示すように、図１５に示すパターンの右前疑似ポケット周縁生地１１２および左前疑似ポケット周縁生地１２２を無地側を表側にして断面がループ状とする。
そして、その断面がループ状の右前疑似ポケット周縁生地１１２の下側で右前疑似ポケット周縁生地１１２の二重部分と右前身頃生地１１０とを縫製ライン２１０で縫製する。また、その断面がループ状の右前疑似ポケット周縁生地１１２の上側で右前疑似ポケット周縁生地１１２の二重部分と右前疑似ポケット生地１１４および二重に折り返した右前身頃生地１１０とを縫製ライン２０８で縫製する。また、その断面がループ状の左前疑似ポケット周縁生地１２２の上側で左前疑似ポケット周縁生地１２２の二重部分と左前疑似ポケット生地１２４および二重に折り返した左前身頃生地１２０とを縫製ライン２０８で縫製する。このとき、図示するように、縫製ライン２０８により５枚の生地が縫製される。また、その断面がループ状の左前疑似ポケット周縁生地１２２の下側で左前疑似ポケット周縁生地１２２の二重部分と左前身頃生地１２０とを縫製ライン２１０で縫製する。このとき、図示するように、縫製ライン２１０により３枚の生地が縫製される。
【００２９】
このように縫製された腹側の疑似ポケットは、疑似ポケット周縁生地が表裏のいずれか一面側にしか縫製されていない。また、疑似ポケットの周縁が縫製糸による縫製ライン２０８および縫製ライン２１０により縁取られている。
そして、疑似ポケット周縁生地を縫製した面（第１の態様における表側の無地）において、疑似ポケット上周縁１１２Ｔまたは疑似ポケット上周縁１２２Ｔが、右前疑似ポケット周縁生地１１２または左前疑似ポケット周縁生地１２２で表わされ、疑似ポケット下周縁１１２Ｂまたは疑似ポケット下周縁１２２Ｂが、右前疑似ポケット周縁生地１１２または左前疑似ポケット周縁生地１２２で表わされている。
【００３０】
さらに、疑似ポケット周縁生地を縫製した面の裏面（第２の態様における表側の柄地）において、疑似ポケット上周縁１１０Ｔまたは疑似ポケット上周縁１２０Ｔが、右前身頃生地１１０または左前身頃生地１２０で表わされ、こちら側には疑似ポケット下周縁が存在しない。
このように縫製された腹側の疑似ポケットは、疑似ポケット周縁生地が表裏のいずれか一面側にしか縫製されていないにもかかわらず、表裏面で疑似ポケットを構成することができる。
・脚裾部
図１５に示すように、このレギンス１００を構成する複数のパーツには、脚を挿入する前側の身頃となる身頃生地である右前身頃生地１１０および左前身頃生地１２０ならびに後側の身頃となる身頃生地である右後身頃生地１３０および左後身頃生地１４０を含み、さらに、テープ状の裾周囲生地１５０を含む。なお、裾周囲生地１５０は第１の態様における裏面側の左右の２脚分の２枚あればよいので、第１の態様における表面側の２枚は必要としない。
【００３１】
そして、レギンス１００の表裏の意匠が所望の意匠になるように（ここでは、上述した特徴である第１の態様で無地のみが表側に表れるように第２の態様で柄地のみが表側に表れるように）右前身頃生地１１０、左前身頃生地１２０、右後身頃生地１３０、左後身頃生地１４０、および裾周囲生地１５０の表裏を揃えて、裾周囲生地１５０を右前身頃生地１１０および右後身頃生地１３０の柄地の面のみに、裾周囲生地１５０を左前身頃生地１２０および左後身頃生地１４０の柄地の面のみに、それぞれ縫製糸（縫製ライン２１２、縫製ライン２１４）で縫製している。
【００３２】
図１１、図１２（Ａ）、図１２（Ｂ）および図１５を参照して、この裾周囲についてさらに説明する。
図１２（Ａ）および図１２（Ｂ）に示すように、図１５に示すパターンの裾周囲生地１５０を柄地側を表側にして断面がループ状とする。
そして、その断面がループ状の裾周囲生地１５０の下側で、裾周囲生地１５０の二重に折り返した部分の１枚の生地（脚挿入筒の径方向の外側の生地）の裏側の生地と身頃生地（右前身頃生地１１０、左前身頃生地１２０、右後身頃生地１３０、左後身頃生地１４０）の二重に折り返した部分の１枚の生地（脚挿入筒の径方向の内側の生地）とを縫製ライン２１４で縫製する。具体的には、筒状の身頃生地に平面状の裾周囲生地１５０を縫合して二重に折り返せば良い。このとき、図示するように、縫製ライン２１４により２枚の生地のみが縫製される。また、その断面がループ状の裾周囲生地１５０の上側で、裾周囲生地１５０の二重部分と身頃生地（右前身頃生地１１０、左前身頃生地１２０、右後身頃生地１３０、左後身頃生地１４０）とを縫製ライン２１２で縫製する。このとき、図示するように、縫製ライン２１２により３枚の生地が縫製される。
【００３３】
このように縫製された脚裾部は、裾周囲生地１５０が表裏のいずれか一面側にしか縫製されていない。
そして、裾周囲生地１５０を縫製した面（第２の態様における表側の柄地）において、裾上周縁１５０Ｔが、裾周囲生地１５０で表わされ、裾下周縁１１０Ｂ、１２０Ｂ、１３０Ｂ、１４０Ｂまたは裾下周縁１５０Ｂが、身頃生地（右前身頃生地１１０、左前身頃生地１２０、右後身頃生地１３０、左後身頃生地１４０）または裾周囲生地１５０で表わされている。
【００３４】
さらに、裾周囲生地１５０を縫製した面の裏面（第１の態様における表側の無地）において、裾下周縁１１０Ｂ、１２０Ｂ、１３０Ｂ、１４０Ｂが、身頃生地（右前身頃生地１１０、左前身頃生地１２０、右後身頃生地１３０、左後身頃生地１４０）で表わされ、こちら側には裾上周縁が存在しない。
このように縫製された脚裾部は、裾周囲生地１５０が表裏のいずれか一面側にしか縫製されていないにもかかわらず、表裏面で脚裾部を構成することができる。
・ウエスト部、腰部
図１５に示すように、このレギンス１００を構成する複数のパーツには、脚を挿入する前側の身頃となる身頃生地である右前身頃生地１１０および左前身頃生地１２０ならびに後側の身頃となる身頃生地である右後身頃生地１３０および左後身頃生地１４０を含み、これらで胴部と脚を挿入する２本の筒部とが構成されるように縫製される。そして、胴部においては、第１のウエスト生地１６０および第２のウエスト生地１６２でウエストゴム１６４を挟んで縫着したウエスト構造を備え、腰部においては、右後腰生地１３２および左後腰生地１４２がこのウエスト構造に縫合され、右後腰生地１３２に右後身頃生地１３０が左後腰生地１４２に左後身頃生地１４０がそれぞれ縫着され、腹部においては、右前身頃生地１１０、左前身頃生地１２０、右前疑似ポケット生地１１４、左前疑似ポケット生地１２４（さらに右前疑似ポケット周縁生地１１２および左前疑似ポケット周縁生地１２２）がこのウエスト構造に縫合されている。
【００３５】
以下に、このウエスト部および腰部の構造について説明する。
ウエスト部においては、レギンス１００の表裏の意匠が所望の意匠になるように（ここでは、上述した特徴である第１の態様で無地のみが表側に表れるように第２の態様で柄地のみが表側に表れるように）第１のウエスト生地１６０および第２のウエスト生地１６２の表裏を揃えて、第１のウエスト生地１６０および第２のウエスト生地１６２を縫製糸（縫製ライン２００）で縫製し、第１のウエスト生地１６０および第２のウエスト生地１６２に右前身頃生地１１０、左前身頃生地１２０、右前疑似ポケット生地１１４、左前疑似ポケット生地１２４（さらに右前疑似ポケット周縁生地１１２および左前疑似ポケット周縁生地１２２）を挟み込んで縫製糸（縫製ライン２０２）で縫製している。
【００３６】
図５〜図１０、図１２（Ａ）、図１２（Ｂ）および図１５を参照して、このウエスト部および腰部についてさらに説明する。
図１２（Ａ）に示すように、図１５に示すパターンの第１のウエスト生地１６０を柄地側を表側にして断面がループ状として、第２のウエスト生地１６２を無地側を表側にして
断面がループ状とする。
【００３７】
そして、その断面がループ状の第１のウエスト生地１６０および第２のウエスト生地１６２の上側で、第１のウエスト生地１６０の二重に折り返した部分の１枚の生地（脚挿入筒の径方向の内側の生地）第２のウエスト生地１６２の二重に折り返した部分の１枚の生地（脚挿入筒の径方向の外側の生地）とを縫製ライン２００で縫製する。具体的には、平面状の第１のウエスト生地１６０と平面状の第２のウエスト生地１６２とを平面で縫合して二重に折り返せば良い。このとき、図示するように、縫製ライン２００により２枚の生地のみが縫製される。
また、その断面がループ状の第１のウエスト生地１６０および第２のウエスト生地１６２の下側で、第１のウエスト生地１６０の二重に折り返した部分２枚の生地と第２のウエスト生地１６２の二重に折り返した部分の２枚の生地とで、右前身頃生地１１０、左前身頃生地１２０、右前疑似ポケット生地１１４、左前疑似ポケット生地１２４（さらに右前疑似ポケット周縁生地１１２および左前疑似ポケット周縁生地１２２）を挟み込んで縫製糸（縫製ライン２０２）で縫製する。このとき、図示するように、縫製ライン２０２により５枚の生地が縫製される。また、この場合において、図１２（Ａ）および図１２（Ｂ）に示す位置に、ループ状のウエストゴム１６４がウエスト部に内包される。
【００３８】
このように縫製されたウエスト部は、ウエスト部上周縁１６０Ｔまたはウエスト部上周縁１６２Ｔが、第１のウエスト生地１６０または第２のウエスト生地１６２で表わされ、ウエスト部下周縁１６０Ｂまたはウエスト部下周縁１６２Ｂが第１のウエスト生地１６０または第２のウエスト生地１６２で表わされ、ウエスト部においては縫製ライン２０２のみが外観上見える。
【００３９】
図１２（Ｂ）に示すように、後身頃側も前身頃側と同じようにウエスト部が縫製される。
そして、異なるのは、その断面がループ状の第１のウエスト生地１６０および第２のウエスト生地１６２の下側で、第１のウエスト生地１６０の二重に折り返した部分２枚の生地と第２のウエスト生地１６２の二重に折り返した部分の２枚の生地とで、右後腰生地１３２および左後腰生地１４２を挟み込んで縫製糸（縫製ライン２０２）で縫製する。このとき、図示するように、縫製ライン２０２により５枚の生地が縫製される。
【００４０】
この右後腰生地１３２および左後腰生地１４２は、図１２（Ｂ）に示すように、右後身頃生地１３０および左後身頃生地１４０とそれぞれ縫製される。このとき、図示するように、縫製ライン２０４により３枚の生地が縫製され、縫製ライン２０６により４枚の生地が縫製される。
このときの縫製は、図１４に示すように、前後の身頃を縫製するＥ−Ｅ断面と同じである。図１４に示すように、このレギンス１００において、右前身頃生地１１０と右後身頃生地１３０とは、図示するように、縫製ライン４００により３枚の生地が縫製され、縫製ライン４０２により４枚の生地が縫製される。
【００４１】
なお、左前身頃生地１２０には、（２以上の生地を縫合していないという意味の）疑似的な縫製ライン５００が設けられている。
以上のようにして、本実施の形態に係るレギンスによると、尻ポケット部、疑似ポケット部、脚裾部等において、表裏で同じデザインを備え、かつ、第１の態様の場合に柄側の意匠が表れる部分が存在せず、第２の態様の場合に無地側の意匠が表れる部分が存在しないパーフェクトなリバーシブル仕様のレギンスを提供することができる。
【００４２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
一例として、上述したレギンス１００は、第１の態様の場合に柄側の意匠が表れる部分が存在せず、第２の態様の場合に無地側の意匠が表れる部分が存在しないことを特徴としたが、第１の態様の場合に柄側の意匠が表れる部分が所望の位置に存在するようにしたり、第２の態様の場合に無地側の意匠が表れる部分が所望の位置に存在するようにしたりす
るようにしても構わない。
【００４３】
このような例として、たとえば、レギンス１００の第１の態様においては無地側に無地の尻ポケットを設けているが、敢えて無地側に柄地の尻ポケットを設けるようにデザインしても構わない。さらに、レギンス１００の第１の態様においては無地側に無地の疑似ポケット周縁を設けているが、敢えて無地側に柄地の疑似ポケット周縁を設けるようにデザインしても構わない。さらに、レギンス１００の第１の態様においては柄側に柄地の裾周囲を設けているが、敢えて無地側に柄地の裾周囲を設けるようにデザインしても構わない。
【産業上の利用可能性】
【００４４】
本発明は、丈が膝下から足首までまたは丈が膝より上でアウターウェア用途として着用される下半身用衣類に好適であり、特に、デザイン性を高めたリバーシブル仕様の下半身用衣類に特に好適である。
【符号の説明】
【００４５】
１００  レギンス
１１０  右前身頃生地
１１２  右前疑似ポケット周縁生地
１１４  右前疑似ポケット生地
１２０  左前身頃生地
１２２  左前疑似ポケット周縁生地
１２４  左前疑似ポケット生地
１３０  右後身頃生地
１３２  右後腰生地
１４０  左後身頃生地
１４２  左後腰生地
１５０  裾周囲生地
１６０  第１のウエスト生地
１６２  第２のウエスト生地
１７０  尻ポケット生地
【図１】
2015137427.tif 000003
【図２】
2015137427.tif 000004
【図３】
2015137427.tif 000005
【図４】
2015137427.tif 000006
【図５】
2015137427.tif 000007
【図６】
2015137427.tif 000008
【図７】
2015137427.tif 000009
【図８】
2015137427.tif 000010
【図９】
2015137427.tif 000011
【図１０】
2015137427.tif 000012
【図１１】
2015137427.tif 000013
【図１２】
2015137427.tif 000014
【図１３】
2015137427.tif 000015
【図１４】
2015137427.tif 000016
【図１５】
2015137427.tif 000017